(57)【要約】【課題】放射線検出手段としてカセッテと放射線検出器とが併用される場合であっても撮影の失敗を抑制することができる放射線撮影装置を提供する。【解決手段】本発明は、検出手段としてカセッテとＦＰＤ４のいずれかを用いて撮影を行う構成となっており、カセッテで撮影を行うと、カセッテの取り替えが検出されない限り、照射開始の指示があってもＸ線を照射しない。この様な構成となっていれば、同じカセッテにＸ線の照射を２回行って撮影が失敗してしまうことがない。また、本発明によれば、交換をする必要がないＦＰＤ４については、Ｘ線の照射を連続して行うことができる。【選択図】図１
2015159885.tif 000002
【特許請求の範囲】
【請求項１】
放射線を照射する放射線源と、
前記放射線の照射開始の指示を入力させる入力手段と、
前記照射された放射線を検出して画像に変換する放射線検出手段を着脱可能に保持する保持手段と、
前記保持手段に保持された前記放射線検出手段が放射線照射の度に交換が必要なカセッテ、または放射線照射の度に交換をする必要がない検出装置のいずれであるかを判定する種別判定手段と、
前記保持手段に保持される前記放射線検出手段が取り替えられたかどうかを検出する取り替え検出センサと、
前記種別判定手段により、撮影に用いられた前記放射線検出手段がカセッテであると判定された場合、前記カセッテの取り替えが検出されない限り、照射開始の指示があっても放射線を照射しないように前記放射線源を制御し、
前記種別判定手段により、撮影に用いられた前記放射線検出手段が前記検出装置であると判定された場合、照射開始の指示があれば前記検出装置の取り替えが検出されなくても放射線を照射するように前記放射線源を制御する放射線源制御手段を備えることを特徴とする放射線撮影装置。
【請求項２】
請求項１に記載の放射線撮影装置において、
前記種別判定手段は、前記放射線検出手段の種別を示す術者の入力に基づいて前記放射線検出手段の種別を判定することを特徴とする放射線撮影装置。
【請求項３】
請求項１または請求項２に記載の放射線撮影装置において、
前記種別判定手段は、前記保持手段に保持された前記放射線検出手段の種別を検出する種別検出センサを備え、当該種別検出センサの出力に基づいて前記放射線検出手段の種別を判定することを特徴とする放射線撮影装置。
【発明の詳細な説明】
【技術分野】
【０００１】
本発明は、放射線で被検体をイメージングする放射線撮影装置に係り、特に異なる種類の放射線検出手段を使い分けることができる構成の放射線撮影装置に関する。
【背景技術】
【０００２】
医療機関には放射線を照射して被検体Ｍのイメージングを行う放射線撮影装置が配備されている（例えば、特許文献１参照）。このような放射線撮影装置は、図１３に示すように放射線を照射する放射線源５３と、放射線を検出するカセッテ６０とを備えている。放射線源５３とカセッテ６０との間には被検体Ｍを載置する天板５２が備えられている。天板５２にはカセッテ６０を収納する引出を有している。
【０００３】
カセッテ６０は、放射線を感光するフィルムが収められており、このフィルムに放射線が入射することでイメージングを行う構成となっている。したがって、一度放射線を照射したカセッテ６０は、再びイメージングに用いることができない。同じカセッテ６０を用いて２回の撮影行ってしまうと、カセッテ６０には、一度目の撮影像と二度目の撮影像とが互いに重なって写り込んでしまうことになる。この様な撮影の失敗を防ぐ目的で、従来装置は同じカセッテ６０に対して２重の撮影を禁止する構成となっている。
【０００４】
すなわち、従来装置は、一度目の撮影が終了すると、カセッテ６０の交換がセンサにより確認されない限り二度目の撮影を実行しないような構成となっているわけである。カセッテ６０の交換が行われたかどうかは、天板５２の引出に備えられたセンサの出力により知ることができる。
【０００５】
ところで、最近の放射線撮影装置では、カセッテ６０の代わりに放射線検出器がよく用いられるようになってきている。この放射線検出器は、放射線を電気信号に変えて検出する方式となっており、放射線を検出する原理がカセッテとは異なる。このような放射線検出器は、連続的な撮影を行うことができる構成となっている。したがって、同じ放射線検出器を何度でも撮影に用いることができ、カセッテのように撮影の度に取り替える必要はい。したがって、放射線検出器を備えた装置には上述のような２重撮影禁止機能を設ける必要はない。
【先行技術文献】
【特許文献】
【０００６】
【特許文献１】特開平５−２０００２０号公報
【発明の概要】
【発明が解決しようとする課題】
【０００７】
しかしながら、従来装置には次のような問題点がある。すなわち、従来装置は、放射線検出手段としてカセッテと放射線検出器とが併用される場合を想定していない。
【０００８】
今日では、放射線検出器を用いて放射線画像の撮影を行う場合が多くなってきてはいる。とはいえ、カセッテが使用される場面が全くなくなったかというとそうでもない。カセッテは、現在でも放射線検出器が故障した場合の予備として用いられたり、放射線検出器では対応できない広い視野で撮影を行わなければならない場合に用いられたりする。
【０００９】
今日の放射線撮影装置は、放射線検出器を用いるのが前提となっているので、上述の２重撮影禁止機能を持ち合わせていない。したがって、カセッテを用いて撮影を行っていると、誤ってカセッテを交換せずに撮影を続けてしまうことが起こりえる。この様な撮影の失敗は、フィルムを現像してから発覚するので、撮影終了直後は気が付かない。したがって、この様な失敗は気軽にリトライすればよいというものでもないのである。また、被検体に無用な放射線曝射を防ぐ観点からもこの様な失敗は防ぐべきである。
【００１０】
本発明は、この様な事情に鑑みてなされたものであって、その目的は、放射線検出手段としてカセッテと放射線検出器とが併用される場合であっても撮影の失敗を抑制することができる放射線撮影装置を提供することにある。
【課題を解決するための手段】
【００１１】
本発明は上述の課題を解決するために次のような構成をとる。
すなわち、本発明に係る放射線撮影装置は、放射線を照射する放射線源と、放射線の照射開始の指示を入力させる入力手段と、照射された放射線を検出して画像に変換する放射線検出手段を着脱可能に保持する保持手段と、保持手段に保持された放射線検出手段が放射線照射の度に交換が必要なカセッテ、または放射線照射の度に交換をする必要がない検出装置のいずれであるかを判定する種別判定手段と、保持手段に保持される放射線検出手段が取り替えられたかどうかを検出する取り替え検出センサと、種別判定手段により、撮影に用いられた放射線検出手段がカセッテであると判定された場合、カセッテの取り替えが検出されない限り、照射開始の指示があっても放射線を照射しないように放射線源を制御し、種別判定手段により、撮影に用いられた放射線検出手段が検出装置であると判定された場合、照射開始の指示があれば検出装置の取り替えが検出されなくても放射線を照射するように放射線源を制御する放射線源制御手段を備えることを特徴とするものである。
【００１２】
［作用・効果］本発明によれば、放射線検出手段としてカセッテと放射線検出器とが併用される場合であっても撮影の失敗を抑制することができる放射線撮影装置が提供できる。すなわち、本発明は、放射線検出手段としてカセッテと検出装置のいずれかを用いて撮影を行う構成となっており、カセッテで撮影を行うと、カセッテの取り替えが検出されない限り、照射開始の指示があっても放射線を照射しない。この様な構成となっていれば、同じカセッテに放射線の照射を２回行って撮影が失敗してしまうことがない。また、本発明によれば、交換をする必要がない検出装置については、放射線の照射を連続して行うことができる。撮影に用いられた放射線検出手段が検出装置である場合、検出装置の取り替えが検出されなくても放射線を照射できるようにしているからである。
【００１３】
また、上述の放射線撮影装置において、種別判定手段は、放射線検出手段の種別を示す術者の入力に基づいて放射線検出手段の種別を判定すればより望ましい。
【００１４】
［作用・効果］上述の構成は、本発明の具体的な構成を示したものとなっている。放射線検出手段の種別を示す術者の入力に基づいて放射線検出手段の種別を識別するようにすれば、より確実に本発明を実現できる。
【００１５】
また、上述の放射線撮影装置において、種別判定手段は、保持手段に保持された放射線検出手段の種別を検出する種別検出センサを備え、当該種別検出センサの出力に基づいて放射線検出手段の種別を判定すればより望ましい。
【００１６】
［作用・効果］上述の構成は、本発明の具体的な構成を示したものとなっている。種別検出センサの出力に基づいて放射線検出手段の種別を識別するようにすれば、より確実に本発明を実現できる。
【発明の効果】
【００１７】
本発明は、検出手段としてカセッテと検出装置のいずれかを用いて撮影を行う構成となっており、カセッテで撮影を行うと、カセッテの取り替えが検出されない限り、照射開始の指示があっても放射線を照射しない。この様な構成となっていれば、同じカセッテに放射線の照射を２回行って撮影が失敗してしまうことがない。また、本発明によれば、交換をする必要がない検出装置については、放射線の照射を連続して行うことができる。
【図面の簡単な説明】
【００１８】
【図１】実施例１に係るＸ線撮影装置の全体構成を説明する機能ブロック図である。
【図２】実施例１に係る天板を説明する斜視図である。
【図３】実施例１に係る立位撮影について説明する模式図である。
【図４】実施例１に係るＦＰＤについて説明する斜視図である。
【図５】実施例１に係るＦＰＤについて説明する断面図である。
【図６】実施例１に係るカセッテについて説明する部分破断面図である。
【図７】実施例１に係る撮影様式を説明する模式図である。
【図８】実施例１に係る撮影様式を説明する模式図である。
【図９】実施例１に係る検出系操作パネルの構成を説明する模式図である。
【図１０】実施例１に係るＸ線撮影装置の動作を説明するフローチャートである。
【図１１】本発明の１変形例を説明する模式図である。
【図１２】本発明の１変形例を説明する模式図である。
【図１３】従来構成の放射線撮影装置を説明する模式図である。
【実施例１】
【００１９】
＜Ｘ線撮影装置の全体構成＞
まず、実施例１に係るＸ線撮影装置１の構成について説明する。Ｘ線撮影装置１は、図１に示すように仰臥位の被検体Ｍを載置する天板２と、天板２の上側（一面側）に設けられたＸ線を被検体Ｍに照射するＸ線管３と、天板２に載置されるとともに被検体Ｍの下部に配置された被検体Ｍを透過してきたＸ線を検出して検出信号を出力するＦＰＤ４とを備えている。ＦＰＤ４は、被検体Ｍの体軸方向Ａまたは体側方向Ｓのいずれかに沿った４つの辺を有する矩形となっている。このＦＰＤ４は撮影の際にいずれか１つが使用され、仰臥位に係る撮影の場合には被検体Ｍと天板２との間に配置される。ＦＰＤ４のＸ線を検出する検出面は、Ｘ線管３および被検体Ｍ側に向いている。また、Ｘ線管３は、四角錐形状のＸ線をＦＰＤ４に向けて照射する。したがって、ＦＰＤ４は、Ｘ線を検出面の全面で受光することになる。支柱５は、検査室の天井から床面に向けて伸びており、Ｘ線管３を支持している。この様な支柱５を有するＸ線撮影装置１は、放射線源懸垂型と呼ばれる。Ｘ線管３は、本発明の放射線源に相当し、ＦＰＤ４は、本発明の検出装置に相当する。
【００２０】
Ｘ線管制御部６（図１参照）は、所定の管電流、管電圧、パルス幅でＸ線管３を制御する目的で設けられている。Ｘ線管制御部６は、本発明の放射線源制御手段に相当する。
【００２１】
本発明のＸ線撮影装置１の天板２の下側に設けられるＦＰＤ４は、天板２から取り外しが可能な構成となっている。図２は、本発明のＸ線撮影装置１の天板２を説明している。天板２には、図２に示すように引出２ａが設けられている。この引出２ａは、天板２本体に対して体側方向Ｓに出し入れ可能となっている。ＦＰＤ４を天板２の下にセットするときは、ＦＰＤ４が引出２ａの内部にＦＰＤ４が収納されることになる。引出２ａは、放射線検出手段を着脱可能に保持する構成であり、本発明の保持手段に相当する。
【００２２】
天板２には、後述のカセッテ１０の取り替えを検出する取り替え検出センサ２ｓ１が設けられている。取り替え検出センサ２ｓ１は、天板２に対する引出２ａの開閉を監視しており、術者が引出２ａを天板２から引き出して内部に戻す動作を行うと、取り替え検出センサ２ｓ１は、引出２ａに保持されるカセッテ１０の取り替えが行われた旨を検出する。このように、取り替え検出センサ２ｓ１は、引出２ａに保持される検出手段が取り替えられたかどうかを検出する構成である。なお、取り替え検出センサ２ｓ１自体は、引出２ａにセットされたのがＦＰＤ４なのかそれともカセッテ１０なのかは区別できないので、術者が引出２ａを天板２から引き出して内部にＦＰＤ４をセットしても、取り替え検出センサ２ｓ１は、取り替えが行われた旨を検出することになる。取り替え検出センサ２ｓ１の検出結果は主制御部２７の他、Ｘ線管制御部６にも送出される。
【００２３】
本発明のＸ線撮影装置１が有する特徴の一つとして、図３の左側に示すような立位の被検体Ｍの撮影を行えるということがある。すなわち、本発明のＸ線撮影装置１は、ＦＰＤを鉛直方向に移動可能に支持する支持軸７を有し、被検体Ｍを支持軸７に取り付けられたＦＰＤの前に立たせることにより、立位の撮影ができるようになっている。この支持軸７は、検査室の床面から天井に向けて鉛直方向に伸びたものとなっている。
【００２４】
立位撮影の際に使用されるＸ線源は、天板２に被検体Ｍを載置して仰臥位の撮影をするときに用いられるＸ線管３となっている。すなわち、支柱５は、Ｘ線管３を自由に移動できるような構成となっており、天板２を用いた撮影に適した位置にＸ線管３を移動することもできれば、支持軸７を用いた撮影に適した位置にＸ線管３を移動することもできる。
【００２５】
本発明のＸ線撮影装置１の支持軸７にもＦＰＤ４がセットできるようになっている。図３の右側は、本発明のＸ線撮影装置１の支持軸７を説明している。支持軸７には、図３に示すようにＦＰＤ４ｂを覆うカバー８が設けられている。このカバー８は、カバー８本体に対して被検体Ｍの体側方向Ｓに出し入れ可能な引出８ａを備えている。引出８ａは、放射線検出手段を着脱可能に保持する構成であり、本発明の保持手段に相当する。
【００２６】
カバー８には、後述のカセッテ１０の取り替えを検出する取り替え検出センサ８ｓ１が設けられている。取り替え検出センサ８ｓ１は、カバー８に対する引出８ａの開閉を監視しており、術者が引出８ａをカバー８から取り出して内部に戻す動作を行うと、取り替え検出センサ８ｓ１は、引出８ａに保持されるカセッテ１０の取り替えが行われた旨を検出する。このように、取り替え検出センサ８ｓ１は、引出８ａに保持される検出手段が取り替えられたかどうかを検出する構成である。なお、取り替え検出センサ８ｓ１自体は、引出２ａにセットされたのがＦＰＤ４なのかそれともカセッテ１０なのかは区別できないので、術者が引出２ａを天板２から引き出して内部にＦＰＤ４をセットしても、取り替え検出センサ８ｓ１は、取り替えが行われた旨を検出することになる。取り替え検出センサ８ｓ１の検出結果は主制御部２７の他、Ｘ線管制御部６にも送出される。
【００２７】
ＦＰＤ４は、図４の左側に示すように、Ｘ線撮影装置１に接続する接続端子を有している。ＦＰＤ４を天板２の下側にセットするときには、引出２ａの内部に設けられたコネクタにこの接続端子が接続される。この接続作業により、ＦＰＤ４は、装置本体から電力を得ることができるとともに、装置本体と信号の送受信を行えるようになる。なお、本発明は、無線によりＸ線撮影装置１と情報のやりとりを行う構成のＦＰＤも採用できる。このようなＦＰＤは、接続端子を備えず、内部バッテリーより電力の供給を受けて動作する。
【００２８】
＜ＦＰＤ４の構成＞
ＦＰＤ４の構成は、本発明の特徴を理解する上で重要であるので、このＦＰＤ４について説明する。ＦＰＤ４は、直接変換型のＸ線検出器となっており、図５に示すように、電荷を検出するとともに電荷を蓄積するコンデンサと蓄積した電荷の取り出しを制御するトランジスタとを備えた検出素子が配列されたアクティブマトリックス基板３４と、Ｘ線を電荷対に変換するアモルファスセレン層３１と、第２高抵抗膜３２と、アモルファスセレン層３１を電界に置くための共通電極３３と、エポキシ樹脂層３５と、ガラスで構成される補助板３６と、第１高抵抗膜３７とを有している。また、ＦＰＤ４は、アクティブマトリックス基板３４，第１高抵抗膜３７，アモルファスセレン層３１，第２高抵抗膜３２，共通電極３３，エポキシ樹脂層３５，および補助板３６の順に積層された構成となっている。
【００２９】
ＦＰＤ４が有する電荷の蓄積に関係する構成について説明する。アモルファスセレン層３１は、比抵抗１０９Ωｃｍ以上（好ましくは１０１１Ωｃｍ以上）となっている高純度のアモルファスセレンで構成される。このアモルファスセレン層３１にＸ線が照射されると、正孔と電子のペアである電荷対が発生する。アモルファスセレン層３１は、強い電場に置かれているので、電荷は、それに伴って移動し、アクティブマトリックス基板３４に形成された収集電極３４ａに電荷が誘起される。
【００３０】
アクティブマトリックス基板３４には、ガラス基板上に電荷収集用の収集電極３４ａが形成されている。収集電極３４ａは、第１高抵抗膜３７に接するとともに、アクティブマトリックス基板３４の表面に２次元的に配列されている。この収集電極３４ａは、図５に示すように、電荷蓄積用のコンデンサ３４ｃに接続されている。コンデンサ３４ｃは、収集電極３４ａで収集された電荷が蓄積される。
【００３１】
続いて、ＦＰＤ４が有する電荷の読み出しに関係する構成について説明する。電荷を蓄積するコンデンサ３４ｃは、トランジスタ３４ｔに接続されている。このトランジスタ３４ｔは、コンデンサ３４ｃに接続される入力端子の他に、電流制御用のゲートＧと、検出信号読み出し用の読み出し電極Ｐとを有している。トランジスタ３４ｔのゲートＧがオンされると、コンデンサ３４ｃに蓄積している電荷は読み出し電極Ｐに向けて流れる。この電流がＸ線の検出信号であり、Ｘ線の入射線量を表している。
【００３２】
従って、ＦＰＤ４にＸ線を照射すると、Ｘ線は、まず電気信号に変換される。ＦＰＤ４はこの電気信号を検出信号として出力することで、Ｘ線の検出動作を完了するのである。ＦＰＤ４が検出信号を出力したあと、アモルファスセレン層３１がＸ線入射前の状態までリフレッシュされるので、ＦＰＤ４は、再度のＸ線の検出が可能な状態になる。
【００３３】
＜カセッテ１０の構成＞
本発明のＸ線撮影装置は、Ｘ線を検出する手段として、ＦＰＤ４の他にカセッテ１０を使用することもできる。カセッテ１０は、ＦＰＤ４と同一の形状をしており、ＦＰＤ４の代わりに天板２やカバー８にセットすることができる。このカセッテ１０は、ＦＰＤ４とは異なる原理でＸ線を検出する。図６は、カセッテ１０の内部構成が分かるようにカセッテ１０を部分的に切り欠いた図となっている。カセッテ１０は、図６に示すように筐体１０ａの内部にＸ線感光フィルム１０ｂが収納された構成となっている。このＸ線感光フィルム１０ｂは、Ｘ線に晒されると化学変化を起こす感光材料が塗布されている。このようなＸ線感光フィルム１０ｂにＸ線を照射すると、Ｘ線像がＸ線感光フィルム１０ｂに焼き付くことになる。この様なカセッテ１０は、一度の撮影にしか使用できず、撮影を連続する場合は、カセッテ１０を交換する必要がある。
【００３４】
また、カセッテ１０を構成するのにＸ線感光フィルム１０ｂの代わりにイメージングプレートを用いることもできる。イメージングプレートは、Ｘ線感光フィルム１０ｂと同じようにＸ線像を焼き付ける構成となっている。したがって、Ｘ線感光フィルム１０ｂの代わりにイメージングプレートを用いてもカセッテ１０を交換しなければならない事情は変わらない。
【００３５】
本発明に係る装置におけるＸ線を検出する検出手段は、Ｘ線照射の度に交換が必要なカセッテ１０またはＸ線照射の度に交換をする必要がないＦＰＤ４のいずれかで構成される。
【００３６】
＜ＦＰＤとカセッテとで異なる撮影様式について＞
ＦＰＤ４とカセッテ１０とはいずれも検出手段には違いはない。そうではあるが、撮影に使用する検出手段によって撮影様式が異なる。この差異について具体的に説明する。図７は、撮影にＦＰＤ４を用いたときの動作を説明している。ＦＰＤ４を用いて撮影を行うには、まずＦＰＤ４が天板２またはカバー８にセットされる。この状態でＸ線照射を行うと、ＦＰＤ４はＸ線画像Ｐを出力する。その後再びＸ線照射を行うと、ＦＰＤ４は再びＸ線画像Ｐを出力する。このように、天板２等にセットされたＦＰＤ４は、Ｘ線照射の度にＸ線画像Ｐを構成する検出信号を出力するように動作するのである。
【００３７】
ＦＰＤ４が出力する検出信号は、画像生成部１１に送出される。画像生成部１１は、この検出信号を基に被検体Ｍの透視像が写り込んだＸ線画像Ｐを生成する。
【００３８】
図８は、撮影にカセッテ１０を用いたときの動作を表している。カセッテ１０を用いて撮影を行うには、まずカセッテ１０が天板２またはカバー８にセットされる。この状態でＸ線照射を行うと、Ｘ線像がカセッテ１０の感光材料に焼き付く。その後再びＸ線照射を行うには、まずカセッテ１０を新しいものに交換しなければならない。このように、天板２等にセットされたカセッテ１０は、Ｘ線照射の度に交換されなければならない。カセッテ１０の交換は手動で行われる。
【００３９】
検出系制御パネル１２は、撮影に用いるＦＰＤの種類等の情報を術者に入力させるコンソールである。この検出系制御パネル１２は、図９に示すように、撮影に用いるＦＰＤの種類を具体的に選択できるほか、撮影に用いる検出手段がカセッテであることを指定することもできる。検出系制御パネル１２は、術者よりＦＰＤの選択がなされると、その旨を示す情報をＦＰＤ制御部１３に送出する。ＦＰＤ制御部１３は、送出された情報に基づいてＦＰＤ４を制御する。具体的には、ＦＰＤ制御部１３は、ＦＰＤ４を制御することで、電荷を蓄積させたり、電荷の読み出しさせたりする。検出系制御パネル１２は、検出手段の種別を術者に入力させる。
【００４０】
種別判定部１４は、術者が検出系制御パネル１２に対してした入力に基づいて引出２ａ，８ａに保持された検出手段がＦＰＤ４であるかそれともカセッテ１０であるかを判定する構成となっている。種別判定部１４は、判定結果をＸ線管制御部６に送出する。後述するようにＸ線管制御部６はこの入力に従って動作を変える。
【００４１】
＜Ｘ線撮影装置が有するその他の構成について＞
Ｘ線撮影装置が有するその他の構成について説明する。操作卓２６は、Ｘ線照射開始の指示等の術者の指示を入力させる目的で設けられている。この操作卓２６は、装置本体に対して術者の指示を入力させるものであり、検出系制御パネル１２とは独立している。本発明に係る装置は、ＦＰＤ４に関する制御系が装置本体に関する制御系とは別系統になっており、それに対応してコンソールも独立しているのである。ＦＰＤ４の制御系が独立性を持たされている理由としては、ＦＰＤ４が装置としてＸ線撮影装置１から独立しているからである。この様に構成することで、ＦＰＤ４を装置本体から取り外して交換ができるようになる。とはいえ、撮影の際には、装置本体の制御系とＦＰＤ４の制御系が互いに連携することにはなる。操作卓２６は、本発明の入力手段に相当する。
【００４２】
主制御部２７（図１参照）は、ＦＰＤ４以外の装置本体に属する各制御部を統括的に制御する目的で設けられている。この主制御部２７は、ＣＰＵによって構成され、各種のプログラムを実行することによりＸ線管制御部６および画像生成部１１を実現している。また、上述の各部は、それらを担当する演算装置に分割されて実行されてもよい。記憶部２８は、装置制御に関する情報の一切を記憶する。表示部２９は、撮影された画像を表示するなどの目的で設けられている。なお、ＦＰＤ制御部１３は、主制御部２７を実現するＣＰＵとは別のＣＰＵで実現される。
【００４３】
＜Ｘ線撮影装置の動作＞
続いて、図１０を参照しながら本発明に係るＸ線撮影装置の動作について説明する。本発明に係る装置は、仰臥位の被検体Ｍを撮影することもできれば立位の被検体Ｍも撮影することができるようになっている。ここでは、仰臥位に係る撮影についての動作を説明するものとする。本発明に係るＸ線撮影装置を用いてＸ線像の撮影をするには、まず被検体Ｍが天板２に載置される（被検体載置ステップＳ１）。
【００４４】
被検体Ｍを載置した後、術者は、天板２に設けられた引出２ａを引き出して、引出２ａに検出手段（ＦＰＤ４またはカセッテ１０）を載置する。そして、術者は引出２ａを天板２に押し込んで、検出手段を被検体Ｍの下側にセットする（検出手段セットステップＳ２）。
【００４５】
検出手段のセットが終わると、術者は、検出系制御パネル１２を操作して、撮影に用いる検出手段についての設定を行う。このとき術者は、検出系制御パネル１２に対して、撮影に用いられる検出手段がカセッテ１０なのかそれともＦＰＤ４なのかを明示する入力を行う（検出手段種別入力ステップＳ３）。
【００４６】
＜モード設定ステップＳ４＞
本発明の構成では、撮影に用いられる検出手段の種別によって、撮影モードが変更される構成となっている。すなわち、術者が検出系制御パネル１２を通じて、カセッテ１０を撮影に用いるように設定した場合は、撮影モードは、カセッテモードに設定される。また、術者が検出系制御パネル１２を通じて、ＦＰＤ４を撮影に用いるように設定した場合は、撮影モードは、ＦＰＤモードに設定される。モードの設定は、検出系制御パネル１２の出力を受信した主制御部２７が実行する。種別判定部１４は、設定されたモードに対応した検出手段の種別を示す信号をＸ線管制御部６に送出する。この種別判定部１４がＸ線管制御部６に送出する信号は、撮影モードの種別を示す信号であると捉えることもできる。
【００４７】
術者が操作卓２６を通じて撮影開始の指示を行うと、Ｘ線管３がＸ線を被検体Ｍに向けて照射する。照射されたＸ線は、被検体Ｍを透過して天板２の内部に設けられた検出手段に入射することになる（撮影ステップＳ５）。
【００４８】
カセッテモードで撮影がなされている場合、種別判定部１４よりカセッテ１０が装置にセットされている旨を示す信号を受信したＸ線管制御部６は、Ｘ線管３にＸ線照射の指示を与えた後、取り替え検出センサ２ｓ１が出力するカセッテ１０の取り替えが行われたことを示す信号が送信されるまで待機する。一方、ＦＰＤモードで撮影がされている場合、種別判定部１４よりＦＰＤ４が装置にセットされている旨を示す信号を受信したＸ線管制御部６は、Ｘ線管３にＸ線照射の指示を与えた後、再撮影の指示があるまで待機する。
【００４９】
本発明の装置は、撮影の終了後、術者が操作卓２６を通じて再撮影の指示を行うことができるようになっている。この再撮影は、例えば、撮影の間に被検体Ｍが動いてしまい取り直しの必要性が生じたり、被検体Ｍの別の部位について撮影を行う必要がある場合に行われる（再撮影指示ステップＳ６）。
【００５０】
＜本発明の装置で最も特徴的な構成＞
ここで、本発明の装置で最も特徴的な構成について説明する。すなわち、本発明のＸ線撮影装置１は、再撮影の指示がなされた後の動作が撮影モードによって異なるのである。すなわち、カセッテモードで撮影が実行されている場合、Ｘ線管制御部６は、カセッテ１０の交換が検出されない限りＸ線の照射をＸ線管３に行わせない構成となっているのである。
【００５１】
＜カセッテモードに係る動作＞
設定された撮影モードがカセッテモードであるときの動作について説明する。カセッテモードのＸ線管３は、Ｘ線管制御部６によりＸ線の照射が禁止された状態となっている。このＸ線照射の規制は、実は、撮影ステップＳ５に係る撮影の終了後からなされており、カセッテ１０の取り替えが検出されるまで解除されない。このように、本発明に係るＸ線管制御部６は、撮影に用いられた検出手段がカセッテ１０である場合、カセッテの取り替えが検出されない限り、照射開始の指示があってもＸ線を照射しないようにＸ線管３を制御する。
【００５２】
従って、術者がカセッテ１０の取り替え前に再撮影の指示を行ったとしても、Ｘ線の照射が禁止されているので、Ｘ線管３はＸ線を照射しない。その代わりＸ線管制御部６は、カセッテ１０の取り替え前に術者が再撮影の指示を行った旨を示す信号を表示部２９に送出する。表示部２９は、これを受けて、誤った操作がされた旨を表示する。
【００５３】
術者がカセッテ１０の取り替えが未完了となっていることに気が付いて、カセッテ１０の取り替え操作を行うと、取り替え検出センサ２ｓ１は、カセッテ１０の取り替えを検出し、その旨を示す信号をＸ線管制御部６に送出する（カセッテ取り替え検出ステップＳ７）。すると、Ｘ線管制御部６は、Ｘ線管３に課していたＸ線の照射禁止の規制を解除する。
【００５４】
この状態で術者が操作卓２６を通じ再撮影の指示の指示をやり直すと、Ｘ線管３からＸ線が照射され、再撮影が実行される（再撮影実行ステップＳ８）。この再撮影は、カセッテ１０が取り替えられた状態で実行されているので、同じカセッテに２回Ｘ線を照射してしまうことで撮影が失敗してしまうことがない。カセッテ１０が天板２から取り出されてカセッテモードに係る動作は終了となる。
【００５５】
＜ＦＰＤモードに係る動作＞
続いて設定された撮影モードがＦＰＤモードであるときの動作について説明する。ＦＰＤモードのＸ線管３は、Ｘ線管制御部６によりＸ線の照射が禁止されていない。したがって、術者が再撮影の指示を行うと、Ｘ線管３からＸ線が照射されることになる（再撮影実行ステップＳ８）。このように、本発明に係るＸ線管制御部６は、撮影に用いられた検出手段がＦＰＤ４である場合、照射開始の指示があれば検出装置の取り替えが検出されなくてもＸ線を照射するようにＸ線管３を制御する。
【００５６】
ＦＰＤ４は、一度装置にセットしてしまえば、交換しなくても撮影を繰り返すことができる。したがって、同じＦＰＤ４に２回Ｘ線を照射してすることで撮影が失敗するようなことはもとよりないわけである。ＦＰＤ４の検出信号を基に生成されたＸ線画像Ｐが表示部２９に表示されて、ＦＰＤモードに係る動作は終了となる。
【００５７】
なお、上述の動作説明では、仰臥位に係る撮影を例にとって説明している。本発明の装置は、立位に係る撮影についても同様の構成となっている。もっとも、立位の撮影を行う場合、検出手段セットステップＳ２では、カバー８の引出８ａにカセッテ１０またはＦＰＤ４がセットされることになる。また、カセッテモードで撮影がなされている場合、Ｘ線管制御部６は、Ｘ線管３にＸ線照射の指示を与えた後、取り替え検出センサ８ｓ１が出力するカセッテ１０の取り替えが行われたことを示す信号が送信されるまで待機することになる。
【００５８】
以上のように、本発明によれば、検出手段としてカセッテ１０とＸ線検出器とが併用される場合であっても撮影の失敗を抑制することができるＸ線撮影装置１が提供できる。すなわち、本発明は、検出手段としてカセッテ１０とＦＰＤ４のいずれかを用いて撮影を行う構成となっており、カセッテ１０で撮影を行うと、カセッテの取り替えが検出されない限り、照射開始の指示があってもＸ線を照射しない。この様な構成となっていれば、同じカセッテ１０にＸ線の照射を２回行って撮影が失敗してしまうことがない。また、本発明によれば、交換をする必要がないＦＰＤ４については、Ｘ線の照射を連続して行うことができる。撮影に用いられた検出手段がＦＰＤ４である場合、検出装置の取り替えが検出されなくてもＸ線を照射できるようにしているからである。
【００５９】
本発明は、上述の構成に限られず、下記の様に変形実施することが可能である。
【００６０】
（１）上述の実施例は、術者の入力により、検出手段の種別を認識する構成となっていたが、本発明はこの構成に限られない。検出手段の種別を認識する種別検出センサを備えるようにしてもよい。図１２の左側は種別検出センサ２ｓ２が天板２の引出２ａに設けられている様子を示している。この種別検出センサ２ｓ２は、術者が引出２ａにセットした検出手段がカセッテ１０なのかそれともＦＰＤ４なのかを区別することができる。同様に、図１２の右側は、種別検出センサ８ｓ２がカバー８の引出８ａに設けられている様子を示している。この種別検出センサ８ｓ２は、術者が引出８ａにセットした検出手段がカセッテ１０なのかそれともＦＰＤ４なのかを区別することができる。主制御部２７は、モード設定ステップＳ４において種別検出センサ２ｓ２，８ｓ２より送出された検出手段の種別を特定する信号に基づいてモードの切替を行うことになる。このように本変形例に係る構成は、装置にセットされた検出手段の種別を検出する種別検出センサ２ｓ２，８ｓ２を備え、種別判定部１４は、種別検出センサ２ｓ２，８ｓ２の出力に基づいて検出手段の種別を判定し、この判定に基づいてＸ線管制御部６は動作を変える。
【００６１】
種別検出センサ２ｓ２，８ｓ２が如何にして検出手段の種別を識別するかについて説明する。図１３は、本変形例に係るカセッテ１０を示している。カセッテ１０における種別検出センサ２ｓ２，８ｓ２に対向する部分には、マグネット１０ａが付設されている。種別検出センサ２ｓ２，８ｓ２は、磁石センサで構成されているので、カセッテ１０が引出２ａ，８ａにセットされ、マグネット１０ａが近づくとその旨を検出することができる。一方、ＦＰＤ４には、マグネット１０ａは備えられていない。したがって、種別検出センサ２ｓ２，８ｓ２は、引出２ａ，８ａにセットされた検出手段の種別を識別することができるのである。なお、ＦＰＤ４の方にマグネットを付設し、カセッテ１０の方にはマグネットを付設しないようにしても、本変形例に係る構成は実現できる。
【００６２】
（２）上述の実施例によれば、ＦＰＤは、Ｘ線を直接電荷に変える直接変換型となっていたが、本発明はこの構成に限られない。Ｘ線を蛍光に変換してこれを検出する間接変換型のＦＰＤも本発明の実現に使用できる。
【符号の説明】
【００６３】
２ａ，８ａ    引出（保持手段）
２ｓ１，８ｓ１       取り替え検出センサ
２ｓ２，８ｓ２       種別検出センサ
３            Ｘ線管（放射線源）
４            ＦＰＤ（検出装置）
６            Ｘ線管制御部（放射線源制御手段）
１０          カセッテ
１４          種別判定部（種別判定手段）
２６          操作卓（入力手段）
【図１】
2015159885.tif 000003
【図２】
2015159885.tif 000004
【図３】
2015159885.tif 000005
【図４】
2015159885.tif 000006
【図５】
2015159885.tif 000007
【図６】
2015159885.tif 000008
【図７】
2015159885.tif 000009
【図８】
2015159885.tif 000010
【図９】
2015159885.tif 000011
【図１０】
2015159885.tif 000012
【図１１】
2015159885.tif 000013
【図１２】
2015159885.tif 000014
【図１３】
2015159885.tif 000015